(57)【要約】【課題】ボイド管を安定でしっかりとした適正な支持状態にすることができ、しかも、それを容易に行うことができる基礎スリーブ等の鉄筋コンクリートのスリーブの施工におけるボイド管の支持構造等を提供する。【解決手段】鉄筋４ａの端部を差し込む穴９と、ボイド管５の外周部を受けボイド管５を止付け可能な受け部７とを有する間隔保持材６が備えられている。この間隔保持材６が、穴９に鉄筋４ａの端部を差し込み、受け部７にボイド管５の外周部を受けさせ、ボイド管５を受け部７に止め付けて設置されることにより、ボイド管５が前記鉄筋４ａとの間に所定の間隔をおいて支持されている。【選択図】      図２
2004300848.tif 000002
【特許請求の範囲】
【請求項１】
鉄筋端部を差し込む穴と、ボイド管の外周部を受けボイド管を止付け可能な受け部とを有する間隔保持材が備えられ、
該間隔保持材が、穴に鉄筋端部を差し込み、受け部にボイド管の外周部を受けさせ、ボイド管を受け部に止め付けて設置されることにより、ボイド管が前記鉄筋との間に所定の間隔をおいて支持されていることを特徴とする、鉄筋コンクリートのスリーブの施工におけるボイド管の支持構造。
【請求項２】
鉄筋端部を差し込む穴と、ボイド管の外周部を受けボイド管を止付け可能な受け部とを有し、
穴に鉄筋端部を差し込み、受け部にボイド管の外周部を受けさせ、ボイド管を受け部に止め付けて設置することにより、ボイド管を前記鉄筋との間に所定の間隔をおいて支持することができるようになされていることを特徴とする、鉄筋コンクリートのスリーブ施工に用いられるボイド管支持用の間隔保持材。
【発明の詳細な説明】
【０００１】
【発明の属する技術分野】
本発明は、基礎スリーブ等の鉄筋コンクリートのスリーブの施工におけるボイド管の支持構造及びボイド管支持用の間隔保持材に関する。
【０００２】
【従来の技術】
住宅等の建物の建築において、例えばコンクリート布基礎の立ち上がり部に設備配管などを通すためのスリーブを設けることがあるが、その施工は、従来より、基礎鉄筋を配筋した後、スリーブ形成用のボイド管を基礎鉄筋に保持させ、しかる後、コンクリートを打ち込むというようにして行われている。
【０００３】
【発明が解決しようとする課題】
しかしながら、ボイド管と周囲鉄筋とは、それらの間に例えば４０ｍｍ以上の間隔をおいてかぶり厚さを確保した上でコンクリートの打込みを行わなければならないところ、そのような適正なかたちにボイド管を支持するのが非常に難しいという問題があった。
【０００４】
本発明は、上記のような問題点に鑑み、ボイド管を安定でしっかりとした適正な支持状態にすることができ、しかも、それを容易に行うことができる基礎スリーブ等の鉄筋コンクリートのスリーブの施工におけるボイド管の支持構造及びボイド管支持用の間隔保持材を提供することを課題とする。
【０００５】
【課題を解決するための手段】
上記の課題は、鉄筋端部を差し込む穴と、ボイド管の外周部を受けボイド管を止付け可能な受け部とを有する間隔保持材が備えられ、
該間隔保持材が、穴に鉄筋端部を差し込み、受け部にボイド管の外周部を受けさせ、ボイド管を受け部に止め付けて設置されることにより、ボイド管が前記鉄筋との間に所定の間隔をおいて支持されていることを特徴とする、鉄筋コンクリートのスリーブの施工におけるボイド管の支持構造によって解決される。
【０００６】
この構造によれば、間隔保持材を介してボイド管を鉄筋に支持させるようにしているから、ボイド管の支持状態において、ボイド管が前記鉄筋との間に間隔保持材で必要な間隔をあけることができ、ボイド管を適正な支持状態にすることができる。
【０００７】
しかも、間隔保持材はその穴に鉄筋端部を差し込んで鉄筋に保持され、ボイド材は間隔保持材の受け部に受けられ止め付けられて間隔保持材に保持されているから、ボイド管を間隔保持材を介して鉄筋に安定良くしっかりと支持させることができる。
【０００８】
加えて、ボイド管の支持は、鉄筋の端部を穴に差し込むと共に、ボイド管を受け部に受けさせ止め付けるだけでよく、そのため、ボイド管を容易に上記のような適正で安定の良い支持状態にすることができる。
【０００９】
また、上記の課題は、鉄筋端部を差し込む穴と、ボイド管の外周部を受けボイド管を止付け可能な受け部とを有し、
穴に鉄筋端部を差し込み、受け部にボイド管の外周部を受けさせ、ボイド管を受け部に止め付けて設置することにより、ボイド管を前記鉄筋との間に所定の間隔をおいて支持することができるようになされていることを特徴とする、鉄筋コンクリートのスリーブ施工に用いられるボイド管支持用の間隔保持材によって同様に解決される。
【００１０】
【発明の実施の形態】
次に、本発明の実施形態を図面に基づいて説明する。
【００１１】
図１〜図３に示す第１実施形態のボイド管支持構造は、住宅等の建物の基礎スリーブの施工に適用したもので、１，２，３は基礎鉄筋であり、４はウエブレンと称される貫通孔補強鉄筋、５はボイド管、そして、６が間隔保持材である。
【００１２】
間隔保持材６は、コンクリートとの接着性の良いもの、例えば鉄等の金属加工品やプラスチック等の樹脂成形品や樹脂加工品などからなっており、図３（ロ）に示すように、ボイド管５の外周部を受けて該ボイド管５を止付けることが可能な、受け部としての長方形平板状のプレート部７を備え、このプレート部７の一方の面部の中心部に差し込み穴９を形成するための立ち上がり部としての筒部８が一体にあるいは一体的に備えられ、この筒部８内の穴９を鉄筋端部の差込み穴としている。穴９は、鉄筋端部がしっくりと差し込まれるサイズになっていて、貫通しておらず、鉄筋端部が、その先端とプレート部７の受け面との間に一定の間隔をおくようにして差し込まれるようになされている。また、プレート部７には、穴９を挟む長手方向の両側に釘打ち穴が明けられ、更に、プレート部７と筒部８との境界部には補強用のリブ１０，１０が備えられている。
【００１３】
貫通孔補強鉄筋４は、図３（イ）に示すように、菱形状をしており、斜め下方の左右の辺部の中間位置から中心側に向けて突出する鉄筋４ａ，４ａが備えられており、本実施形態では、これら突出鉄筋４ａ，４ａを間隔保持材６の穴９に差し込む鉄筋としている。従って、間隔保持材６もそれに対応して２つ用いられている。
【００１４】
ボイド管５は、次のようにして支持状態にすることができる。即ち、ボイド管５に間隔保持材６，６を止め付ける。具体的には、図２（イ）（ロ）に示すように、ボイド管５の外周部に間隔保持材６，６のプレート部７，７を、その長手方向がボイド管５の軸線方向と平行になるように沿わせ、そして、釘打ち１２…をする共に、プレート部７の筒部８を挟む両側部分においてプレート部７，７とボイド管５とを結束線１１，１１で結束する。
【００１５】
また、間隔保持材６，６を、図１（ロ）及び図２に示すように、その筒部８の穴９に貫通孔補強鉄筋４の突出鉄筋４ａ，４ａの先端部を差し込むことにより、貫通孔補強鉄筋４に保持させる。なお、ボイド管５への間隔保持材６，６の止付けは、貫通孔補強鉄筋４への間隔保持材６，６の組付けよりも先に行うようにしてもよいし、後に行うようにしてもよいが、本実施形態のような場合は、後に行うとよい。
【００１６】
そして、上記のようにしてボイド管５を保持させた貫通孔補強鉄筋４を、結束線１１…で基礎鉄筋１，２，３に結束して取り付ける。なお、基礎鉄筋１，２，３への貫通孔補強鉄筋４の取付けは、貫通孔補強鉄筋４への間隔保持材６やボイド管５の取付けよりも先に行ってもよいし、後に行ってもよい。こうして、図１（イ）に示すようなボイド管５の支持状態が得られる。
【００１７】
このように上記のボイド管支持構造では、間隔保持材６を介してボイド管５が貫通孔補強鉄筋４の突出鉄筋４ａ，４ａの先端部に支持されているので、突出鉄筋４ａ，４ａの先端部とボイド管５との間に必要な間隔があけられた適正な支持状態にすることができる。
【００１８】
しかも、ボイド管５は、間隔保持材６のプレート部７で受けられ、プレート部７に釘１２や結束線１１で止め付けられ、また、間隔保持材６はその筒部８の穴９に突出鉄筋４ａをしっくりと差し込んで貫通孔補強鉄筋４に保持されているので、貫通孔補強鉄筋４、ひいては基礎鉄筋１，２，３によるボイド管５の支持状態を安定の良いしっかりとしたものにすることができる。
【００１９】
加えて、ボイド管５は、間隔保持材６のプレート部７をボイド管５の外周部に釘１２や結束線１１で止め付けると共に、間隔保持材６の筒部８の穴９に貫通孔補強鉄筋４の突出鉄筋４ａの先端部を差し込み、貫通孔補強鉄筋４を基礎鉄筋１，２，３に取り付けるだけで、安定でしっかりとした適正な支持状態となるので、ボイド管５を容易にそのような支持状態にすることができる。
【００２０】
図４に示す第２実施形態では、同図（ロ）（ハ）に示すように、ボイド管５の外周部の上下にそれぞれ間隔保持材６，６のプレート部７が止め付けられると共に、上下の間隔保持材６，６の筒部８，８の穴９，９にそれぞれ直線鉄筋１３，１３の一端が差し込まれている。そして、同図（イ）に示すように、上下の直線鉄筋１３，１３が基礎鉄筋１，２に結束線１１で結束されると共に、上下の間隔保持材６，６の筒部８，８も基礎鉄筋１４，１４に結束線１１で結束されることで、ボイド管５の支持状態が形成されている。
【００２１】
図５に示す第３実施形態では、第２実施形態と同様に、ボイド管５を上下方向から間隔保持材６，６で受けるようにしているが、ただ、上下の間隔保持材６，６の筒部８，８にそれぞれＴ形鉄筋１５，１５が差し込まれ、該Ｔ形鉄筋１５，１５の両腕のそれぞれが基礎鉄筋１，２に結束線１１…で結束されている点で相違している。その他は第２実施形態と略同様である。
【００２２】
図６に示す第４実施形態では、第２、第３実施形態と同様に、ボイド管５を上下方向から間隔保持材６，６で受けるようにしているが、同図（イ）に示すように、間隔保持材６の受け部７が山形形状をしたプレート部からなっている。このような山形形状をしたプレート部７を備える間隔保持材６を用いることで、ボイド管５の外周部を、対峙する２方向からの受けで安定の良い支持状態を得ることができる。
【００２３】
以上に、本発明の実施形態を示したが、本発明はこれに限られるものではなく、発明思想を逸脱しない範囲で各種の変更が可能である。例えば、上記の実施形態では、間隔保持材６のプレート部７をボイド管５に止め付けるために、釘１２と結束線１１，１１とを用いた場合を示したが、その他の止付け方法が採用されてもよい。また、基礎以外の鉄筋コンクリートにスリーブを設ける場合に本発明を適用することももちろん可能である。
【００２４】
【発明の効果】
本発明は、以上のとおりのものであるから、ボイド管を安定でしっかりとした適正な支持状態にすることができ、しかも、それを容易に行うことができる。
【図面の簡単な説明】
【図１】第１実施形態のボイド管支持構造を示すもので、図（イ）は基礎鉄筋中での支持状態を示す正面図、図（ロ）は貫通孔補強鉄筋に保持させたボイド管を示す正面図である。
【図２】図（イ）はボイド管に対する間隔保持材の止付け状態を示す正面図、図（ロ）は（イ）のＩ−Ｉ線矢視図である。
【図３】図（イ）は貫通孔補強鉄筋の正面図、図（ロ）は間隔保持材の斜視図である。
【図４】第２実施形態のボイド管支持構造を示すもので、図（イ）は基礎鉄筋中での支持状態を示す正面図、図（ロ）は間隔保持材を介して真っ直ぐな鉄筋を付けたボイド管の正面図、図（ハ）はボイド管に対する間隔保持材の止付け状態を示す正面図である。
【図５】第３実施形態のボイド管支持構造を示すもので、図（イ）は基礎鉄筋中での支持状態を示す正面図、図（ロ）は間隔保持材を介してＴ形鉄筋を付けたボイド管の正面図である。
【図６】第４実施形態を示すもので、図（イ）は間隔保持材の斜視図、図（ロ）はボイド管に対する間隔保持材の止付け状態を示す正面図である。
【符号の説明】
４ａ…突出鉄筋（鉄筋）
５…ボイド管
６…間隔保持材
７…プレート部（受け部）
９…穴
１３…直線鉄筋（鉄筋）
１５…Ｔ形鉄筋（鉄筋）
【図１】
2004300848.tif 000003
【図２】
2004300848.tif 000004
【図３】
2004300848.tif 000005
【図４】
2004300848.tif 000006
【図５】
2004300848.tif 000007
【図６】
2004300848.tif 000008